(57)【要約】【課題】高い感度が得られ、挿入体の径を小さくすることができる構成のガス濃度測定装置を提供する。【解決手段】挿入体２０と、透光部３２２と反射部３２１とを有し測定部３０と本体１０側の空間を区画する窓材３２と、測定部３０に設けられた開口３３と、本体１０に設けられ入射光を偏向部１５に照射する入射光部１１と、入射光のビーム径を拡大する拡大光学系１５と、透光部３２２を通過した光を反射部３２１に向けて反射し、該反射部３２１で反射した入射光を透光部３２２に向けて反射することにより該入射光をその入射方向に再帰反射する凹面鏡３１と、入射光部１１からの入射光を窓材３２を介して測定部３０に送り、測定部３０を出射した測定光を入射光から分離する偏向部１５と、偏向部１５により分離された測定光を検出する検出部１２とを備えるガス濃度測定装置１。【選択図】図３
2018115994.tif 000002
【特許請求の範囲】
【請求項１】
a) 筒状の挿入体と、
b) 前記挿入体の内部の一端側の測定部と他端側に位置する本体の側の空間を気密に区画する窓材であって、測定部を通過させる透光部と、前記一端側に設けられた反射部とを有する窓材と、
c) 前記測定部に設けられた、測定対象ガスを導入するための開口と、
d) 前記本体に設けられた、前記測定対象ガスを測定するための光である入射光を後記偏向部に照射する入射光部と、
e) 前記入射光のビーム径を所定の大きさに拡大する拡大光学系と、
f) 前記測定部の前記窓材と反対側の端部に設けられた凹面鏡であって、前記透光部を通過した入射光を前記反射部に向けて反射し、該反射部で反射した入射光を前記透光部に向けて反射することにより該入射光をその入射方向に再帰反射する凹面鏡と、
e) 前記入射光部からの入射光を前記窓材を介して前記測定部に送り、前記凹面鏡により反射され前記測定部を出射した光である測定光を前記入射光から分離する偏向部と、
f) 前記偏向部により分離された測定光を検出する検出部と
を備えることを特徴とするガス濃度測定装置。
【請求項２】
前記凹面鏡の反射面が放物線状又は円弧状の断面を有することを特徴とする請求項１に記載のガス濃度測定装置。
【発明の詳細な説明】
【技術分野】
【０００１】
本発明は、吸光分光法を用いて測定対象ガスに含まれる目的ガスの濃度を測定するガス濃度測定装置に関する。
【背景技術】
【０００２】
測定対象ガスに含まれる目的ガスの濃度を測定する手法に吸光分光法がある。吸光分光法では、目的ガスの吸収波長帯域の光を測定対象ガスに照射して透過した光の強度を測定する。そして、該吸収波長帯域の光吸収量からランベルト・ベールの法則に基づき目的ガスの吸光度を求め、該吸光度から目的ガスの濃度を求める。
【０００３】
吸光分光法を用いたガス濃度測定装置は、例えば自動車のエンジンに供給される燃焼ガスに含まれる酸素や、エンジンからの排気ガスに含まれる二酸化炭素等の濃度を測定するために用いられる。こうした測定では、実際にエンジンを動作させた状態でガス濃度の変化をリアルタイムで測定するために、プローブ挿入型のガス濃度測定装置が用いられる（例えば特許文献１）。
【０００４】
図１に、従来用いられているプローブ挿入型のガス濃度測定装置１００の一構成例を示す。このガス濃度測定装置１００は、筒状の挿入体１２０を有する本体１１０を備えている。本体１１０には、半導体レーザ等の光源１０２から発せられた光を導く光ファイバ１０３の出口端を接続するファイバ接続部１１１と、検出器１１２と、測定対象ガスを透過した光を該検出器１１２に導くための第１ミラー１１３が配置されている。
【０００５】
筒状の挿入体１２０の端部には、目的ガスを含む測定対象ガスが流れる測定対象空間に挿入される測定部１３０が設けられている。測定部１３０の側面には開口１３３が設けられており、該開口１３３を通じて測定対象ガスが測定部１３０内を流通する。また、測定部１３０の端部には第２ミラー１３１が配置され、該第２ミラー１３１と対向する位置に該測定部１３０を挿入体１２０の本体側の空間と区画する窓材１３２が取り付けられている。
【０００６】
このガス濃度測定装置１００を用いた測定では、光源１０２から発せられた光を光ファイバ１０３によりファイバ接続部１１１に導き、該ファイバ接続部１１１から第２ミラー１３１の中央に照射する。このレーザ光は第２ミラー１３１及び第１ミラー１１３により順に反射され検出器１１２に入射する。検出器１１２では、測定部１３０内を流れる目的ガスによりその一部が吸収された後の光の強度を測定する。目的ガスの吸収波長帯域で波長を変化させつつ測定を行うことにより吸収スペクトルを取得し、そのピーク強度から吸光度を計算し、さらに該吸光度から目的ガスの濃度を求める。図１のように、測定部１３０内で光を一往復（一回反射）させる構成のガス濃度測定装置１００をシングルパス型のガス濃度測定装置と呼ぶ。
【先行技術文献】
【特許文献】
【０００７】
【特許文献１】特開２０１５−１３７９１０号公報
【発明の概要】
【発明が解決しようとする課題】
【０００８】
自動車等のエンジンに供給される燃焼ガスに含まれる酸素や、エンジンからの排気ガスに含まれる二酸化炭素等の濃度を測定する際には、ガス濃度測定装置の挿入体をエンジン周辺に挿入する。現在、実用化されているガス濃度測定装置では、挿入体の径が約20mmまで小さくなっているが、より複雑な構造の内部にまで挿入できるように挿入体の径をさらに小さく（例えば10mm以下に）することが求められている。
【０００９】
上述のとおり、ガス濃度測定装置ではランベルト・ベールの法則に基づき目的ガスの吸光度を求める。吸光度は目的ガスの濃度だけではなく測定部内での光路長にも比例する。従って、ガス濃度測定装置では、測定部内での光路長を長くすることにより高感度の測定を行うことができる。
【００１０】
測定部内での光路長をシングルパス型のガス濃度測定装置よりも長くする構成として、例えば図２に示すように、１枚の平板ミラー２３１を先端側に配置し、表面の一部（典型的には中央）に反射部２３２１を形成した平板状の窓材２３２を対向配置することにより測定部２３０内（平板ミラー２３１と窓材２３２の間の空間）で光を二往復（三回反射）させる構成（以下、これを「ダブルパス型」と呼ぶ。）が考えられる。しかし、この構成では挿入体の径を小さくすると平板ミラー２３１への光の入射角が小さくなり、窓材２３２を通過する光の通過位置が窓材２３２の反射部２３２１に近くなるため、窓材２３２の透光部２３２２を通って測定部２３０を入出射する光と窓材２３２の反射部２３２１で反射される光が干渉して測定精度が悪くなるという問題が生じる。また、窓材２３２の反射部２３２１の近傍で光を入出射させるために反射部２３２１を小さくする必要があるが、多くの場合、反射部２３２１は蒸着により形成するため小さくするには限界がある（例えば直径1mmよりも小さい反射部を形成することは難しい）。
【００１１】
本発明が解決しようとする課題は、シングルパス型のガス濃度測定装置よりも高い感度が得られ、かつ従来よりも挿入体の径を小さくすることができる構成のガス濃度測定装置を提供することである。
【課題を解決するための手段】
【００１２】
上記課題を解決するために成された本発明に係るガス濃度測定装置は、
a) 筒状の挿入体と、
b) 前記挿入体の内部の一端側の測定部と他端側に位置する本体の側の空間を気密に区画する窓材であって、測定光を通過させる透光部と、前記一端側に設けられた反射部とを有する窓材と、
c) 前記測定部に設けられた、測定対象ガスを導入するための開口と、
d) 前記本体に設けられた、前記測定対象ガスを測定するための光である入射光を後記偏向部に照射する入射光部と、
e) 前記入射光のビーム径を所定の大きさに拡大する拡大光学系と、
f) 前記測定部の前記窓材と反対側の端部に設けられた凹面鏡であって、前記透光部を通過した入射光を前記反射部に向けて反射し、該反射部を反射した入射光を前記透光部に向けて反射することにより該入射光をその入射方向に再帰反射する凹面鏡と、
g) 前記入射光部からの入射光を前記窓材を介して前記測定部に送り、前記凹面鏡により反射され前記測定部を出射した光である測定光を前記入射光から分離する偏向部と、
h) 前記偏向部により分離された測定光を検出する検出部と
を備えることを特徴とする。
【００１３】
前記入射光部は、例えば光源から発せられた光を輸送する光ファイバの出口端を本体に接続するファイバ接続部とすることができる。
前記凹面鏡には、例えば入射光の光軸に関して回転対称性を有する反射面を有するものを用いることができ、特に好ましくは、入射光の光軸を含む断面が放物線状や円弧状である反射面を有するものを好適に用いることができる。前記断面が放物線状の凹面鏡を用いると、該凹面鏡に入射した光を窓材の反射部内の１点に集光することができるため、反射部の大きさを最小化して窓材の表面に占める透光部の割合を大きくして入射光の損失を最小化し測定感度を高めることができる。なお、前記凹面鏡は、独立した部材として構成された鏡に限らず、挿入体の端部に凹部を形成してその内面を反射面としたものであってもよい。
前記偏向部には、例えば、ビームスプリッタや光サーキュレータを用いることができる。
【００１４】
本発明に係るガス濃度測定装置は、挿入体の一端側に設けられた測定部を測定対象ガスが流通する空間に挿入して用いる。このガス濃度測定装置では、入射光部により測定対象ガスを測定するための入射光を偏向部に照射し、該偏向部から窓材を介して測定部に入射光を照射する。入射光は、窓材の透光部を通って測定部の端部に設けられた凹面鏡に入射する。凹面鏡で反射された光は、続いて窓材の反射部で反射され、さらに凹面鏡で再反射され、窓部の透光部を通過したあと、入射時の経路を逆に辿って偏向部に入射する。即ち、本発明に係るガス濃度測定装置では、窓部の反射部と凹面鏡により再帰反射部を構成する。本発明に係るガス濃度測定装置は、入射光のビーム径を拡大し、偏向部と再帰反射部の間の光路を入射光と測定光で共有するという、従来と異なる技術的思想に基づき構成されており、従来のように入射光と測定光のそれぞれに独立した光路を形成する必要がないため、挿入体の径を従来よりも小さくすることができる。また、測定部内で光を二往復（三回反射）させる、いわゆるダブルパス型のガス濃度測定装置であることから、シングルパス型のものよりも高い測定感度が得られる。
【発明の効果】
【００１５】
本発明に係るガス濃度測定装置の構成を採ることにより、シングルパス型のガス濃度測定装置よりも高い感度が得られ、かつ従来よりも挿入体の径を小さくすることができる。
【図面の簡単な説明】
【００１６】
【図１】シングルパス型のガス濃度測定装置の一構成例。
【図２】ダブルパス型のガス濃度測定装置の一構成例。
【図３】本発明に係るガス濃度測定装置の一実施例の要部構成図。
【図４】本発明に係るガス濃度測定装置の別の実施例の要部構成図。
【図５】光サーキュレータの要部構成を説明する図。
【図６】本発明に係るガス濃度測定装置の更に別の実施例の本体近傍の構成図。
【図７】本発明に係るガス濃度測定装置の更に別の実施例の測定部近傍の構成図。
【図８】本発明に係るガス濃度測定装置の更に別の実施例の測定部近傍の構成図。
【発明を実施するための形態】
【００１７】
本発明に係るガス濃度測定装置の実施例について、以下、図面を参照して説明する。図１及び２を用いて説明した構成要素に対応する構成要素については図１及び２に付した符号の下二桁に対応する符号を付している。
【００１８】
図３は、本実施例のガス濃度測定装置１の要部構成図である。本実施例のガス濃度測定装置１は、大きく分けて本体１０と挿入体２０から構成される。本体１０には、波長可変の半導体レーザ光源である光源２からの入射光を導く光ファイバ３の出口端を接続するファイバ接続部１１、入射光のビーム径を拡大するビームエキスパンダ１４（拡大光学系）、ビームスプリッタ１５、及び検出器１２が配置されている。挿入体２０は、例えば内径6mm、長さ50mmの筒状体であり、挿入長（後記の測定部３０の長さ）は30mmである。挿入体２０の、本体１０とは反対側の端部２０aは気密に閉鎖されている。
【００１９】
筒状の挿入体２０の内部は窓材３２により気密に区画されており、本体１０と反対側の端部（一端側）に測定部３０が設けられている。測定部３０の側面には開口３３が設けられており、該開口３３を通じて測定対象ガスが測定部３０内を流通する。窓材３２の測定部３０側の表面の中央には、蒸着により半径1mmの円形の反射部３２１が形成されている。窓材３２の表面のうち反射部３２１以外の領域は全て透光部３２２である。測定部３０の端部には第２ミラー３１が配置されている。第２ミラー３１は、測定系の軸（入射光の光軸）Ｃ周りに回転対称であり、該光軸な反射面を有する放物面鏡であり、その焦点に窓材３２の反射部３２１が位置している。本実施例では、窓材３２の反射部３２１と第２ミラー３１により再帰反射部が構成される。第２ミラー３１には、本実施例のように放物面鏡を用いることが好ましいが、放物面鏡と類似した形状の反射面を有する球面鏡や楕円面鏡を用いてもよい。球面鏡や楕円面鏡の場合、入射光は完全に１点には集光されないが、本実施例のガス濃度測定装置１では入射光を反射部３２１に入射できれば良く１点に集光することが必須の要件ではないため、球面鏡や楕円面鏡を用いて再帰反射部を構成することもできる。
【００２０】
このガス濃度測定装置１では、まず、ビームエキスパンダ１４により、光源２から発せられる、ビーム径が約0.5mmである入射光（平行光であるレーザ光）のビーム径を約4mmに拡大する。ビームエキスパンダ１４には、平凹レンズと平凸レンズを組み合わせたもの、放物面鏡等、適宜のものを用いることができる。ビーム径が拡大された入射光は、続いて、ビームスプリッタ１５及び窓材３２の透光部３２２を通過して測定部３０の端面に位置する第２ミラー３１に入射する。第２ミラー３１で反射された光は窓材３２の反射部３２１に集光され、該反射部３２１で反射されたあと、再び第２ミラー３１で反射され、窓材３２の透光部３２２を通り、入射光の経路を逆に辿ってビームスプリッタ１５に向かう。入射光のうちの一部の光は、測定部３０内を往復する間に該測定部３０内を流れる測定対象ガスにより吸収される。本実施例のガス測定装置は、測定部３０に入射した光を測定部３０内で二往復させる、いわゆるダブルパス型のガス濃度測定装置であり、図１を参照して説明したような、測定部１３０内で光を一往復させる構成の、いわゆるシングルパス型のガス濃度測定装置よりも高い感度が得られる。以下、測定対象ガスにより一部の光が吸収された後の入射光を測定光と呼ぶ。
【００２１】
測定部３０から出射した光（測定光）は、入射時の経路を逆に辿って再びビームスプリッタ１５に向かい、該ビームスプリッタ１５で一部が反射され検出器１２に入射し検出される。検出器１２からの出力は図示しないデータ処理部に入力される。濃度を測定する目的ガスの吸収波長を含む波長帯域で測定光の波長を変化させつつ測定を行うことにより吸収スペクトルが得られ、そのピーク強度から吸光度を計算することにより、該吸光度から目的ガスの濃度を求められる。
【００２２】
本実施例のガス濃度測定装置１では、挿入体２０の端部２０aを気密に閉鎖し、また、窓材３２によって測定部３０を本体側の空間と気密に区画している。これにより、配管４０から開口３３を通じて測定部３０に流入した測定対象ガスが、該測定部３０から挿入体２０の端部２０a側や本体１０側に漏出することを防止している。本実施例ではガス濃度測定装置１を挿入体２０の端部２０aが配管４０から突出するように差し込んで用いるため、挿入体２０の端部２０aを気密に閉鎖しているが、例えば、挿入体２０の端部２０aを測定対象空間内に位置させて使用する場合には、必ずしも挿入体２０の端部２０aを気密に閉鎖する必要はない。
【００２３】
本実施例のガス濃度測定装置１は、従来のガス濃度測定装置と異なり、測定部３０に照射する光（入射光）のビーム径を拡大し、ビームスプリッタ１５から第２ミラー３１までの光路を入射光と測定光で共有する構成を採っている。そのため、入射光と測定光の光路を独立に形成する必要がなく、挿入体２０を小型化する（具体的には挿入体２０の径を小さくする）ことができる。特に、本実施例では、入射光が反射部３２１内の１点に集光されるため、該反射部３２１の面積を最小化して窓材３２の表面に占める透光部３２２の割合を大きくし、測定部３０への入射光量を増大して測定感度を高くすることができる。
【００２４】
上記実施例は一例であって、本発明の趣旨に沿って適宜に変更することができる。
本発明に係るガス濃度測定装置は、測定部３０内で光を二往復させる再帰反射部を設けておき、ビーム径が拡大され測定部３０に入射する入射光の光路と測定部３０から出射する測定光の光路を共通化するとともに、測定部３０の外でこれらの光路を分離するという技術的思想に基づくものであり、その思想の下で様々な構成を採ることができる。
【００２５】
例えば、図４に示すガス濃度測定装置１aのように、ビームスプリッタ１５に代えて光サーキュレータ１６を使用することができる。また、第２ミラー３１（放物面鏡）に代えて、挿入体２０の端部に凹部を形成し、その表面に反射面３４を形成したものを窓材３２の反射部３２１と組み合わせて再帰反射部を構成することもできる。こうした凹部の形状としては、上記実施例における第２ミラーの反射面と同様に、入射光の光軸Ｃに関して回転対称であり該光軸を含む断面が放物面、球面、あるいは楕円面であるものを好適に用いることができる。
【００２６】
光サーキュレータ１６は、図５に示すように２つの偏光ビームスプリッタ１６１、１６５、２枚のミラー１６２、１６６、ファラデー回転子（45°回転）１６３、1/2波長板（45°回転）１６４から構成される。
【００２７】
光サーキュレータ１６では、図５(a)に示すように、ビームエキスパンダ１４を出射した光は偏光ビームスプリッタ１６１によりP偏光とS偏光に分離される。S偏光は、ミラー１６２で反射されたあと、ファラデー回転子１６３、1/2波長板１６４を順に通過してP偏光に変換され偏光ビームスプリッタ１６５に入射する。また、偏光ビームスプリッタ１６１を出射したP偏光は、ファラデー回転子１６３、1/2波長板１６４を順に通過してS偏光に変換されたあと、ミラー１６６で反射し偏光ビームスプリッタ１６５に入射する。このように、偏光ビームスプリッタ１６１でP偏光とS偏光に分離された入射光は、それぞれS偏光とP偏光に変換され、偏光ビームスプリッタ１６５で再び合流し、非偏光で出射する。出射した光は窓材３２を通って反射面３４に入射する。
【００２８】
上記実施例と同様に、プローブ（挿入体）の先端部で反射され窓材３２の透光部３２２を通って出射した光（測定光）は、入射光の経路を逆に辿って再び光サーキュレータ１６に入射する。測定光は、図５(b)に示すように、偏光ビームスプリッタ１６５でP偏光とS偏光に分離される。S偏光はミラー１６６で反射したあと、1/2波長板１６４とファラデー回転子１６３を順に通過してP偏光に変換され偏光ビームスプリッタ１６１に入射する。また、偏光ビームスプリッタ１６５を出射したP偏光は、1/2波長板１６４、ファラデー回転子１６３を順に通過してS偏光に変換されたあと、ミラー１６２で反射し偏光ビームスプリッタ１６１に入射する。このように偏光ビームスプリッタ１６５でP偏光とS偏光に分離された測定光は、それぞれS偏光とP偏光に変換され、偏光ビームスプリッタ１６１で合流し、非偏光で出射する。このとき偏光ビームスプリッタ１６１からは入射光の入射方向と異なる方向に測定光が出射されるため、入射光の光路と測定光の光路が分離される。偏光ビームスプリッタ１６１を出射した光は検出器１２で検出される。この例のように光サーキュレータ１６を用いると、ビームスプリッタ１５を用いる場合よりも光量の損失が小さくなるという利点がある。
【００２９】
また、上述の実施例では、ビームスプリッタ１５や光サーキュレータ１６を本体１に内蔵したが、これらは本質的に光源２と検出器１２の間に配置すればよく、本体１と切り離して（即ち本体１の外部に）配置しても良い。また、上述の実施例では、ビームエキスパンダ１４によりビーム径を拡大した後に入射光をビームスプリッタ１５（あるいは光サーキュレータ１６）に入射させる構成としたが、ビームスプリッタ１５（あるいは光サーキュレータ１６）を通過した後にビームエキスパンダ１４により入射光のビーム径を拡大する構成を採ることもできる。図６にそうした構成の一例（ガス濃度測定装置１cの本体１０近傍のみ）を示す。図６では光サーキュレータ１６を用いる構成を図示しているが、ビームスプリッタ１５を用いる場合も同様である。
【００３０】
さらに、挿入体２０aの端部に円錐体状の凹部を形成し、その内面に反射面を形成することにより再帰反射部を構成することもできる。図７にその一例（ガス濃度測定装置１cの測定部３０の近傍のみ）を示す。この場合、測定部３０内で入射光が平行光のまま二往復するため、上述の実施例よりも反射部３２１の面積を大きくする必要はあるが、上記同様に、入射光を測定部３０内で二往復させたあと、窓材３２の透光部３２２cから出射させ、入射光の経路を逆に辿って光サーキュレータ１６に向かうように構成することができる。具体的にはビームエキスパンダ１４より拡大された入射光Ｌのビーム半径と反射部３２１cの直径を略同一にすればよい。その他、キャットアイシステム（窓材３２dの反射部３２１cが平面ではなく球面であるもの）を用いて再帰反射部を構成することもできる。図８にその一例（ガス濃度測定装置１dの測定部３０の近傍のみ）を示す。
【００３１】
上記以外の構成要素についても適宜に変更することができる。上記実施例では光源として波長可変である半導体レーザを用いたが、光源として、白色光源と回折格子等の波長分散素子を組み合わせたものを用いてもよい。あるいは、白色光源からの光をそのまま測定光として使用し、ビームスプリッタ１５（あるいは光サーキュレータ１６）を出射した光は回折格子等の波長分散素子で波長分離して測定するようにしてもよい。また、上記実施例ではファイバ接続部１１を光導入部として使用したが、入射光を所定の角度でビームエキスパンダ１４に照射することが可能なものであればよく、適宜の構成を採ることができる。さらに、検出器１２の検出面に測定光を集光するレンズや、測定光を反射するミラーといった光学系を配置するようにしてもよい。
【符号の説明】
【００３２】
１、１a、１b、１c、１d…ガス濃度測定装置
２…光源
３…光ファイバ
１０…本体
１１…ファイバ接続部
１２…検出器
１４…ビームエキスパンダ
１５…ビームスプリッタ
１６…光サーキュレータ
１６１、１６５…偏光ビームスプリッタ
１６２、１６６…ミラー
１６３…ファラデー回転子
１６４…1/2波長板
２０、２０a…挿入体
３０…測定部
３１…第２ミラー
３２、３２c、３２d…窓材
３２１、３２１c、３２１d…反射部
３２２、３２２c、３２２d…透光部
３３…開口
３４…反射面
４０…配管
【図１】
2018115994.tif 000003
【図２】
2018115994.tif 000004
【図３】
2018115994.tif 000005
【図４】
2018115994.tif 000006
【図５】
2018115994.tif 000007
【図６】
2018115994.tif 000008
【図７】
2018115994.tif 000009
【図８】
2018115994.tif 000010